(57)【要約】【課題】テレビドアホン子機や親機の機能は変えずに外部の各種機器と接続し機能アップやネットワーク接続を可能とする。【解決手段】呼出ボタン１４、子機マイクロフォン１３、子機スピーカ１２、カメラユニット１１を有する子機１と、子機に子機ケーブルＬ１で接続され通話装置２２、２３、２４を有する親機２と、親機に親機ケーブルＬ２で接続される外部機器５とから構成され、外部機器は、親機ケーブルに接続されるインターフェースユニット３と、インターフェースユニットから出力された映像信号Ｓ３１、インターフェースユニットからの送話信号Ｓ３２、インターフェースユニットへの受話信号Ｓ３３、インターフェースユニットからの送信データ信号Ｓ３４、インターフェースユニットへの受信データ信号Ｓ３５の少なくとも１つを送受信する外部ユニット４とを備える。【選択図】図１
2004236083.tif 000002
【特許請求の範囲】
【請求項１】
来訪者が居住者を呼出すための呼出ボタン（１４）、前記来訪者と通話するための子機マイクロフォン（１３）、子機スピーカ（１２）、前記来訪者を撮像するためのカメラユニット（１１）を有する子機（１）と、前記子機に子機ケーブル（Ｌ１）で接続され前記来訪者からの前記呼出に対して応答し通話するための通話装置（２２、２３、２４）を有する親機（２）と、前記親機に親機ケーブル（Ｌ２）で接続されるオーディオ機器、ビデオ機器、セキュリティ機器、コントローラー、中継器等の外部機器（５）とから構成されるテレビドアホンシステムであって、
前記テレビドアホンシステムは、前記親機ケーブルに接続され前記子機のカメラユニットで撮像されて前記親機から中継伝送された来訪者の映像信号（Ｓ２１）、前記子機の子機マイクロフォンで集音し前記親機で中継伝送された来訪者又は前記親機の前記通話装置で集音し伝送された前記居住者の送話信号（Ｓ２２）、前記親機で中継伝送し前記子機の子機スピーカ又は前記親機の前記通話装置を鳴動するために伝送する受話信号（Ｓ２３）、前記子機又は前記親機から伝送される呼出制御、センサー検知信号等の送信データ信号（Ｓ２４）、前記子機、前記親機に伝送される選局制御、電気錠解錠／施錠制御等の受信データ信号（Ｓ２５）の少なくとも１つを送受信するインターフェースユニット（３）と、前記インターフェースユニットから出力された映像信号（Ｓ３１）、前記インターフェースユニットからの送話信号（Ｓ３２）、前記インターフェースユニットへの受話信号（Ｓ３３）、前記インターフェースユニットからの送信データ信号（Ｓ３４）、前記インターフェースユニットへの受信データ信号（Ｓ３５）の少なくとも１つを送受信する外部ユニット（４）とを備えることを特徴とするテレビドアホンシステム。
【請求項２】
前記インターフェースユニットは、前記親機に接続する伝送インターフェース回路（３１）と、前記伝送インターフェース回路に接続され映像信号を復調する映像信号復調回路（３３）と、前記伝送インターフェース回路に接続され音声信号を変換する音声信号変換回路（３４）と、前記伝送インターフェース回路に接続されＡＳＫ、ＦＳＫ、ＰＳＫ等のデータ信号を復調するデータ信号復調回路（３５）と、前記伝送インターフェース回路に接続されデータ信号を変調するデータ信号変調回路（３６）とを備えることを特徴とする請求項１記載のテレビドアホンシステム。
【請求項３】
前記インターフェースユニットは、前記データ信号復調回路及び前記データ信号変調回路に接続され通信プロトコル変換するワンチップマイクロコンピュータ等で構成される通信プロトコル変換回路（３７）を備えることを特徴とする請求項２記載のテレビドアホンシステム。
【請求項４】
前記親機に電気錠コントローラケーブル（Ｌ４）で接続される電気錠コントローラ（７）と、前記電気錠コントローラに電気錠ケーブル（Ｌ５）で接続され玄関の扉等に内蔵される電気錠（８）とを備えることにより前記外部機器は前記電気錠コントローラを介して前記電気錠をリモート解錠又はリモート施錠することを特徴とする請求項１記載のテレビドアホンシステム。
【請求項５】
前記親機にセンサーケーブル（Ｌ６）で不法侵入者を検知する為の防犯センサー（１０１）、ガス漏れや火災を検知するための防災センサー（１０２）を接続することにより、前記インターフェースユニットを介して前記外部ユニットに前記防犯センサーや前記防災センサーの検知信号を伝送することを特徴とする請求項１記載のテレビドアホンシステム。
【請求項６】
前記親機と集合住宅用インターホン制御機（１１１）を幹線ケーブル（Ｌ７）で接続することにより、前記インターフェースユニットを介して前記外部ユニットに前記集合住宅用インターホン制御機に接続される管理室親機（１１３）の管理人等の受話信号、送話信号、前記管理室親機の呼出し制御等の受信データ信号、前記管理室親機の呼出し応答等の送信データ信号を伝送することを特徴とする請求項１記載のテレビドアホンシステム。
【請求項７】
前記親機と集合住宅用インターホン制御機（１１１）を幹線ケーブル（Ｌ７）で接続することにより、前記インターフェースユニットを介して前記外部ユニットに前記集合住宅用インターホン制御機に接続される集合玄関機（１１２）の来訪者の映像信号、来訪者からの受話信号、来訪者への送話信号、前記集合玄関機の呼出し制御等の受信データ信号、前記集合玄関機の呼出し応答等の送信データ信号を伝送することを特徴とする請求項１記載のテレビドアホンシステム。
【請求項８】
前記外部機器は、外部ケーブル（Ｌ３）又は前記外部ユニットに内蔵される無線インターフェース（４１）を介してインターネットやホームネットワーク等のネットワーク網（６）に接続されることを特徴とする請求項１乃至請求項７何れか１項記載のテレビドアホンシステム。
【請求項９】
携帯電話（９ａ）、ＰＤＡ（９ｂ）、パーソナルコンピュータ（９ｃ）から前記ネットワーク網を介して前記外部ユニットと接続することにより前記子機又は前記集合玄関機、前記管理室親機の呼出しに遠隔操作で応答し通話し若しくは前記子機又は前記集合玄関機の前記カメラユニットで撮像された来訪者の映像を確認し若しくは前記電気錠の開閉状態を遠隔監視又は施錠・解錠をリモート制御することを特徴とする請求項８記載のテレビドアホンシステム。
【請求項１０】
前記インターフェースユニット及び前記外部ユニットは、前記外部機器の筐体内に設けられることを特徴とする請求項１乃至請求項９何れか１項記載のテレビドアホンシステム。
【請求項１１】
前記インターフェースユニット及び前記外部ユニットは、前記親機の筐体内に設けられることを特徴とする請求項１乃至請求項９何れか１項記載のテレビドアホンシステム。
【発明の詳細な説明】
【０００１】
【発明の属する技術分野】
本発明は、テレビドアホンシステムに係り、特に親機と外部機器間の有線伝送路における時分割多重若しくは周波数分割多重で、映像や音声信号、データ信号を復調し分離し、これら信号を個別に送信又は受信するインターフェースユニットを有する外部機器と接続されるテレビドアホンシステムに関する。
【０００２】
【従来の技術】
従来から、オーディオ機器、ビデオ機器、セキュリティ機器、コントローラー、中継器等の外部機器からの情報等を、モニタ付親機で確認等することができるテレビドアホンシステムが知られている（例えば、特許文献１参照）。
【０００３】
この特許文献１には、一方をＴＶカメラ付インターホン子機の伝送路に、他方をＴＶモニタ付インターホン親機の伝送路に接続され、且つ外部機器には専用の通信線路で接続され、この外部機器のリモートコントロール操作機能およびモニタ機能を有するリモートコントロール装置を設けたリモートコントロールシステムが開示されている。
【０００４】
また、来訪者をカメラで撮像するカメラ付玄関子機、カメラ付玄関子機に接続されカメラで撮像した画像をモニタに表示するモニタ付親機で構成され、このモニタ付親機にはネットワーク網を介して携帯電話と通信可能な機能を有するテレビドアホンシステムが知られている。
【０００５】
【特許文献１】特開２００１−２３１０８４号公報  （第３−５頁（段落番号００１１−００２８）、第１図、第２図）
【０００６】
【発明が解決しようとする課題】
しかしながら、このような従来のテレビドアホンシステムでは、接続される外部機器毎に専用の通信インターフェース回路を親機等に予め内蔵しなければならないので、外部機器毎の専用システムとなっていた。したがって、割高なシステムとなり、また、既存のテレビドアホンシステムと接続することは困難であった。
【０００７】
本発明は、このような従来の難点を解決するためになされたもので、テレビドアホンの構成は変えずに各種外部機器を２線ケーブルで接続可能にすることでテレビドアホンと連動するシステムを構築することを可能とするテレビドアホンシステムを提供することを目的とする。
【０００８】
【課題を解決するための手段】
上記目的を達成する本発明のテレビドアホンシステムは、来訪者が居住者を呼出すための呼出ボタン、来訪者と通話するための子機マイクロフォン、子機スピーカ、来訪者を撮像するためのカメラユニットを有する子機と、子機に子機ケーブルで接続され来訪者からの呼出に対して応答し通話するための通話装置を有する親機と、親機に親機ケーブルで接続されるオーディオ機器、ビデオ機器、セキュリティ機器、コントローラー、中継器等の外部機器とから構成されている。このテレビドアホンシステムは、親機ケーブルに接続され子機のカメラユニットで撮像されて親機から中継伝送された来訪者の映像信号、子機の子機マイクロフォンで集音し親機で中継伝送された来訪者又は親機の通話装置で集音し伝送された居住者の送話信号、親機で中継伝送し子機の子機スピーカ又は親機の通話装置を鳴動するために伝送する受話信号、子機又は親機から伝送される呼出制御、センサー検知信号等の送信データ信号、子機、親機に伝送される選局制御、電気錠解錠／施錠制御等の受信データ信号の少なくとも１つを送受信するインターフェースユニットと、インターフェースユニットから出力された映像信号、インターフェースユニットからの送話信号、インターフェースユニットへの受話信号、インターフェースユニットからの送信データ信号、インターフェースユニットへの受信データ信号の少なくとも１つを送受信する外部ユニットとを備えるものである。
【０００９】
このようなテレビドアホンシステムによれば、親機と外部機器とを接続するためのインターフェース回路を有するインターフェースユニットと外部ユニットとを備えているので、テレビドアホンの構成を変えることなく家庭用テレビに来訪者の映像を映すことができ、また、インターネット経由で外出先からパソコンや携帯電話を使って、来客映像を確認したり来客と通話し玄関の電気錠を解錠したりすることが可能になる。
【００１０】
また、本発明のテレビドアホンシステムにおいて、インターフェースユニットは、親機に接続する伝送インターフェース回路と、伝送インターフェース回路に接続され映像信号を復調する映像信号復調回路と、伝送インターフェース回路に接続され音声信号を変換する音声信号変換回路と、伝送インターフェース回路に接続されＡＳＫ、ＦＳＫ、ＰＳＫ等のデータ信号を復調するデータ信号復調回路と、伝送インターフェース回路に接続されデータ信号を変調するデータ信号変調回路とを備えている。また、このインターフェースユニットは、データ信号復調回路及びデータ信号変調回路に接続され通信プロトコル変換するワンチップマイクロコンピュータ等で構成される通信プロトコル変換回路を備えている。これにより、多重化された信号が伝送インターフェイス回路に入力され、この伝送インターフェイス回路に入力した多重化された信号から、映像信号復調回路は映像信号を復調し、音声信号変換回路は音声信号を２線４線変換し、データ信号復調回路はデータ信号を復調することができるので、各信号を外部ユニットから送信可能になり、また、外部ユニットに入力した音声信号は音声信号変換回路で４線２線変換し、データ信号はデータ信号変調回路で変調することができるので、各信号を伝送インターフェイス回路で多重化して親機に接続されている２線ケーブルに伝送することができるようになる。なお、データ信号復調回路及びデータ信号変調回路を、通信プロトコル変換回路を介して外部ユニットに接続させれば、他の用途と兼用された通信回線を利用しても確実にデータの送受信を行うことができる。
【００１１】
また、本発明のテレビドアホンシステムにおいては、親機に電気錠コントローラケーブルで接続される電気錠コントローラと、電気錠コントローラに電気錠ケーブルで接続され玄関の扉等に内蔵される電気錠とを備えることにより外部機器は電気錠コントローラを介して電気錠をリモート解錠又はリモート施錠するものである。これにより、電気錠コントローラを外部機器や当該外部機器の外部ユニットに接続されている機器等で制御可能となるので、外部機器側から電気錠をリモート解錠又はリモート施錠することができるようになる。
【００１２】
また、本発明のテレビドアホンシステムにおいては、親機にセンサーケーブルで不法侵入者を検知する為の防犯センサー、ガス漏れや火災を検知するための防災センサーを接続することにより、インターフェースユニットを介して外部ユニットに防犯センサーや防災センサーの検知信号を伝送するものである。これにより、外部機器や当該外部機器の外部ユニットに接続されている機器等で防犯センサーや防災センサーからの警告等を確認できる。
【００１３】
また、本発明のテレビドアホンシステムにおいては、親機と集合住宅用インターホン制御機を幹線ケーブルで接続することによりインターフェースユニットを介して外部ユニットに集合住宅用インターホン制御機に接続される管理室親機の管理人等の受話信号、送話信号、管理室親機の呼出し制御等の受信データ信号、管理室親機の呼出し応答等の送信データ信号を伝送するものである。これにより、外部機器や当該外部機器の外部ユニットに接続されている機器等で管理室親機との各信号の送受信が可能になる。
【００１４】
また、本発明のテレビドアホンシステムにおいては、親機と集合住宅用インターホン制御機を幹線ケーブルで接続することによりインターフェースユニットを介して外部ユニットに集合住宅用インターホン制御機に接続される集合玄関機の来訪者の映像信号、来訪者からの受話信号、来訪者への送話信号、集合玄関機の呼出し制御等の受信データ信号、集合玄関機の呼出し応答等の送信データ信号を伝送するものである。これにより、外部機器や当該外部機器の外部ユニットに接続されている機器等で集合玄関機との各信号の送受信が可能になる。
【００１５】
また、上述した本発明の各テレビドアホンシステムにおいては、外部機器は、外部ケーブル又は外部ユニットに内蔵される無線インターフェースを介してインターネットやホームネットワーク等のネットワーク網に接続されるものである。また、携帯電話、ＰＤＡ、パーソナルコンピュータからネットワーク網を介して外部ユニットと接続することにより子機又は集合玄関機、管理室親機の呼出しに遠隔操作で応答し通話し若しくは子機又は集合玄関機のカメラユニットで撮像された来訪者の映像を確認し若しくは電気錠の開閉状態を遠隔監視又は施錠・解錠をリモート制御するものである。これにより、外出先の例えば携帯電話、ＰＤＡ、パーソナルコンピュータから、子機又は集合玄関機、管理室親機の呼出しに遠隔操作で応答し通話し若しくは子機又は集合玄関機のカメラユニットで撮像された来訪者の映像を確認し若しくは電気錠の開閉状態を遠隔監視又は施錠・解錠をリモート制御することができるようになる。
【００１６】
このような本発明のテレビドアホンシステムのインターフェースユニット及び外部ユニットは、外部機器の筐体内に設けられるものである。また、本発明のテレビドアホンシステムのインターフェースユニット及び外部ユニットは、親機の筐体内に設けられるものである。これにより、インターフェースユニット及び外部ユニットが、外部機器または親機と同一筐体で構成できるので省スペース化を図ることができる。
【００１７】
【発明の実態の形態】
以下、本発明のテレビドアホンシステムにおけるその好ましい実施の形態例について図面を参照して詳述する。
【００１８】
本発明のテレビドアホンシステムは図１に示すように、玄関の戸外に設置され来訪者が居住者を呼出し通話すると共に来訪者を撮像するための子機１と、子機１に子機ケーブルＬ１で接続されて室内に設置され来訪者の呼出しに対して応答し通話すると共に撮像された画像を表示するための親機２と、親機２に親機ケーブルＬ２で接続されるオーディオ機器、ビデオ機器、セキュリティ機器、コントローラ、中継器等の外部機器５とから構成されている。また、このテレビドアホンシステムは、親機２に電気錠コントローラケーブルＬ４で接続される電気錠コントローラ７と、電気錠コントローラ７に電気錠ケーブルＬ５で接続され玄関の扉等に内蔵される電気錠８とを備えている。
【００１９】
子機１は、来訪者が居住者を呼出すための呼出ボタン１４と、来訪者と通話するための子機マイクロフォン１３、子機スピーカ１２と、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサーが用いられ来訪者を撮像するためのカメラユニット１１とを有している。
【００２０】
親機２は、ＬＣＤ（Ｌｉｑｕｉｄ  Ｃｒｙｓｔａｌ  Ｄｉｓｐｌａｙ）やブラウン管等が搭載されたモニタユニット２１と、来訪者からの呼出しに対して応答し通話するための通話装置である親機スピーカ２２、親機マイクロフォン２３、選局ボタン２４とを有している。
【００２１】
外部機器５は、親機ケーブルＬ２に接続され子機１のカメラユニット１１で撮像されて親機２から中継伝送された来訪者の映像信号Ｓ２１、子機１の子機マイクロフォン１３で集音し親機２で中継伝送された来訪者又は親機２の親機マイクロフォン２３で集音し伝送された居住者の送話信号Ｓ２２、親機２で中継伝送し子機１の子機スピーカ１２又は親機２の親機スピーカ２２を鳴動するために伝送する受話信号Ｓ２３、子機１又は親機２から伝送される呼出制御、センサー検知信号等の送信データ信号Ｓ２４、子機１、親機２に伝送される選局制御、電気錠解錠／施錠制御等の受信データ信号Ｓ２５の少なくとも１つを送受信するインターフェースユニット３（以下、「Ｉ／Ｆユニット３」とする。）と、Ｉ／Ｆユニット３から出力された映像信号Ｓ３１、Ｉ／Ｆユニット３からの送話信号Ｓ３２、Ｉ／Ｆユニット３への受話信号Ｓ３３、Ｉ／Ｆユニット３からの送信データ信号Ｓ３４、Ｉ／Ｆユニット３への受信データ信号Ｓ３５の少なくとも１つを送受信する外部ユニット４とを備えている。
【００２２】
Ｉ／Ｆユニット３は図２に示すように、親機２に接続する伝送インターフェース回路３１（以下、「伝送Ｉ／Ｆ回路３１」とする。）と、伝送Ｉ／Ｆ回路３１に接続され映像信号Ｓ２１を復調する映像信号復調回路３３と、伝送Ｉ／Ｆ回路３１に接続され音声信号Ｓ２２、Ｓ２３、Ｓ３２、Ｓ３３を変換する音声信号変換回路３４と、伝送Ｉ／Ｆ回路３１に接続されＡＳＫ（Ａｍｐｌｉｔｕｄｅ  Ｓｈｉｆｔ  Ｋｅｙｉｎｇ）、ＦＳＫ（Ｆｒｅｑｕｅｎｃｙ  Ｓｈｉｆｔ  Ｋｅｙｉｎｇ）、ＰＳＫ（Ｐｈａｓｅ  Ｓｈｉｆｔ  Ｋｅｙｉｎｇ）等の送信データ信号Ｓ２４を復調するデータ信号復調回路３５と、伝送Ｉ／Ｆ回路３１に接続され受信データ信号Ｓ３５を変調するデータ信号変調回路３６と、伝送Ｉ／Ｆ回路３１に接続され親機２からの電源を外部機器５の構成各部へ供給する電源回路３２とを備えている。また、Ｉ／Ｆユニット３は、データ信号復調回路３５及びデータ信号変調回路３６に接続され通信プロトコル変換するワンチップマイクロコンピュータ等で構成される通信プロトコル変換回路３７を備えている。これにより、他の用途と兼用された通信回線を利用しても確実にデータの送受信を行うことができる。
【００２３】
このように構成されたＩ／Ｆユニット３は、映像信号復調回路３３が端子Ｐ３１を介して外部ユニット４の端子Ｐ４１に、音声信号変換回路３４が端子Ｐ３２、Ｐ３３を介して外部ユニット４の端子Ｐ４２、Ｐ４３に、通信プロトコル変換回路３７が端子Ｐ３４、Ｐ３５を介して外部ユニット４の端子Ｐ４４、Ｐ４５にそれぞれ接続されている。なお、外部機器５のＩ／Ｆユニット３、親機２間では、各信号が時分割多重若しくは周波数分割多重で伝送される。
【００２４】
外部ユニット４は、外部ケーブルＬ３又は外部ユニット４に内蔵される無線インターフェース４１（以下、「無線Ｉ／Ｆ４１」とする。）を介してインターネットやホームネットワーク等のネットワーク網６に接続されている。このネットワーク網６は、子機１の呼出しに遠隔操作で応答し通話し若しくは子機１のカメラユニット１１で撮像された来訪者の映像を確認し若しくは電気錠８の開閉状態を遠隔監視又は施錠・解錠をリモート制御する機能を有する携帯電話９ａ、ＰＤＡ（Ｐｅｒｓｏｎａｌ  Ｄｉｇｉｔａｌ  Ａｓｓｉｓｔａｎｔ）９ｂ、パーソナルコンピュータ９ｃ（以下、「ＰＣ９ｃ」とする。）が接続可能になっている。なお、携帯電話９ａは、無線基地局１００を介してネットワーク網６に接続することができる。
【００２５】
このようなＩ／Ｆユニット３及び外部ユニット４は、外部機器５の筐体内に設けられている。これにより、Ｉ／Ｆユニット３及び外部ユニット４が、外部機器５と同一筐体で構成できるので省スペース化を図ることができる。
【００２６】
このように構成されたテレビドアホンシステムの動作を説明する。
【００２７】
実施例１
実施例１においては、子機１と携帯電話９ａとの呼出・通話について説明する。
【００２８】
来訪者が子機１の呼出ボタン１４を押下すると、呼出信号が子機ケーブルＬ１を介して親機２へ伝送される。親機２はこの呼出信号を検出すると、親機スピーカ２２から呼出音を鳴動すると共に子機１へ動作電源を供給することから、子機１はカメラユニット１１で撮像した来訪者の映像信号を子機ケーブルＬ１を介して親機２へ伝送するので、親機２のモニタユニット２１には来訪者の映像が出画される。この時、親機２が例えば携帯電話９ａへの転送モードに設定されていると、子機１からの呼出信号は送信データ信号Ｓ２４に、子機１からの映像信号は親機２から中継伝送された来訪者の映像変調信号Ｓ２１にそれぞれ変調され親機ケーブルＬ２を介して外部機器５へ伝送される。送信データ信号Ｓ２４は外部機器５のＩ／Ｆユニット３の伝送Ｉ／Ｆ３１を介してデータ信号復調回路３５で復調され通信プロトコル変換回路３７で通信プロトコル変換されて送信データ信号Ｓ３４として端子Ｐ３４から外部ユニット４の端子Ｐ４４に送信される。また、映像変調信号Ｓ２１は、外部機器５のＩ／Ｆユニット３の伝送Ｉ／Ｆ３１を介して映像信号復調回路３３で復調され映像信号Ｓ３１として端子Ｐ３１から外部ユニット４の端子Ｐ４１に送信される。
【００２９】
外部機器５の外部ユニット４はＩ／Ｆユニット３から送信された送信データ信号Ｓ３４および映像信号Ｓ３１を、外部ケーブルＬ３又は無線Ｉ／Ｆ４１を介してネットワーク網６に伝送するので、この送信データ信号Ｓ３４および映像信号Ｓ３１は基地局１００を介して携帯電話９ａに受信される。これにより、携帯電話９ａでは子機１から呼出しがあったことを知らせる呼出音が鳴動するので、外出している居住者は当該携帯電話９ａで子機１のカメラユニット１１で撮像された来訪者の映像を確認することができる。
【００３０】
また、外出している居住者が携帯電話９ａで来訪者と通話するために通話ボタンを押下して送話を行うと、送話信号が基地局１００を介してネットワーク網６に伝送され、外部ケーブルＬ３又は無線Ｉ／Ｆ４１を介して外部機器５の外部ユニット４に受信される。送話信号はこの外部ユニット４から受話信号Ｓ３３として端子Ｐ４３からＩ／Ｆユニット３の端子Ｐ３３に送信され、Ｉ／Ｆユニット３の音声信号変換回路３４で４線２線変換されて受話信号Ｓ２３として伝送Ｉ／Ｆ３１に送信される。受話信号Ｓ２３は伝送Ｉ／Ｆ３１から親機ケーブルＬ２を介して親機２へ伝送されるが、親機２が携帯電話９ａへの転送モードに設定されているので、子機ケーブルＬ１を介して子機１へ伝送される。これにより、子機１の子機スピーカ１２で携帯電話９ａからの送話を確認することができる。
【００３１】
さらに、携帯電話９ａからの送話に呼応するために、来訪者が子機１の子機マイクロフォン１３から送話を行うと、送話信号が子機ケーブルＬ１を介して親機２へ伝送されるが、親機２が携帯電話９ａへの転送モードに設定されているので、当該送話信号は親機２で中継伝送された来訪者の送話信号Ｓ２２として親機ケーブルＬ２を介して外部機器５へ伝送される。送話信号Ｓ２２は外部機器５のＩ／Ｆユニット３の伝送Ｉ／Ｆ３１を介して音声信号変換回路３４で２線４線変換されて送話信号Ｓ３２として端子Ｐ３２から外部ユニット４の端子Ｐ４２に送信される。
【００３２】
外部機器５の外部ユニット４はＩ／Ｆユニット３から送信された送話信号Ｓ３２を、外部ケーブルＬ３又は無線Ｉ／Ｆ４１を介してネットワーク網６に伝送するので、この送話信号Ｓ３２は基地局１００を介して携帯電話９ａに受信される。これにより、携帯電話９ａで子機１からの送話を確認することができ、子機１、携帯電話９ａ間の通話が成立する。
【００３３】
実施例２
実施例２においては、親機２の呼出しを携帯電話９ａから行う場合について説明する。
【００３４】
携帯電話９ａで親機２を選局して呼出すと、呼出信号が基地局１００を介してネットワーク網６に伝送され、外部ケーブルＬ３又は無線Ｉ／Ｆ４１を介して外部機器５の外部ユニット４に受信される。呼出信号はこの外部ユニット４から受信データ信号Ｓ３５として端子Ｐ４５からＩ／Ｆユニット３の端子Ｐ３５に送信され、さらにＩ／Ｆユニット３の通信プロトコル変換回路３７を介してデータ信号変調回路３６で変調され、親機２に伝送される選局制御の受信データ信号Ｓ２５として伝送Ｉ／Ｆ３１に送信される。受信データ信号Ｓ２５は伝送Ｉ／Ｆ３１から親機ケーブルＬ２を介して親機２へ伝送されるので、親機２では携帯電話９ａから呼出しがあったことを知らせる呼出音が親機スピーカ２２から鳴動される。
【００３５】
なお、親機２、携帯電話９ａ間の通話動作については実施例１に示す子機１、携帯電話９ａ間の通話動作と実質的に同様なので、説明は省略する。
【００３６】
実施例３
実施例３においては、電気錠８の制御を例えばＰＤＡ９ｂから行う場合について説明する。
【００３７】
外出している居住者がＰＤＡ９ｂで電気錠８の解錠操作を行うと、解錠信号がネットワーク網６に伝送され、外部ケーブルＬ３又は無線Ｉ／Ｆ４１を介して外部機器５の外部ユニット４に受信される。解錠信号はこの外部ユニット４から受信データ信号Ｓ３５として端子Ｐ４５からＩ／Ｆユニット３の端子Ｐ３５に送信され、Ｉ／Ｆユニット３の通信プロトコル変換回路３７を介してデータ信号変調回路３６に送信される。受信データ信号Ｓ３５はデータ信号変調回路３６で変調され電気錠解錠制御の受信データ信号Ｓ２５として伝送Ｉ／Ｆ３１に送信される。受信データ信号Ｓ２５は、伝送Ｉ／Ｆ３１から親機ケーブルＬ２を介して親機２へ伝送されるが、電気錠解錠制御の信号なので、電気錠コントローラケーブルＬ４を介して電気錠コントローラ７に伝送される。電気錠コントローラ７はこの受信データ信号Ｓ２５に基づき電気錠８をリモート解錠させることができる。
【００３８】
なお、ＰＤＡ９ａで電気錠８の施錠操作を行えば、施錠信号がネットワーク網６を介して外部機器５に伝送されるので、電気錠８をリモート施錠させることができる。
【００３９】
実施例４
実施例４においては、図３に示すように、図１のテレビドアホンシステムにおける電気錠コントローラ７を介して親機２に接続された電気錠８に変えて、親機２にセンサーケーブルＬ６で不法侵入者を検知する為の防犯センサー１０１、ガス漏れや火災を検知するための防災センサー１０２を接続しているテレビドアホンシステムで、当該防犯センサー１０１、防災センサー１０２からの警報情報をＰＣ９ｃに通報させる場合について説明する。
【００４０】
例えば侵入者が防犯センサー１０１で検知されると、通報信号がセンサーケーブルＬ６を介して親機２へ伝送される。親機２はこの通報信号を検出すると、親機スピーカ２２から警報音を鳴動する。この時、親機２が例えばＰＣ９ｃへの転送モードに設定されていると、防犯センサー１０１からの通報信号は防犯センサー検知信号の送信データ信号Ｓ２４に変調され親機ケーブルＬ２を介して外部機器５へ伝送される。送信データ信号Ｓ２４は外部機器５のＩ／Ｆユニット３の伝送Ｉ／Ｆ３１を介してデータ信号復調回路３５で復調され通信プロトコル変換回路３７で通信プロトコル変換されて送信データ信号Ｓ３４として端子Ｐ３４から外部ユニット４の端子Ｐ４４に送信される。
【００４１】
外部機器５の外部ユニット４はＩ／Ｆユニット３から送信された送信データ信号Ｓ３４を、外部ケーブルＬ３又は無線Ｉ／Ｆ４１を介してネットワーク網６に伝送するので、この送信データ信号Ｓ３４はＰＣ９ｃに受信される。これにより、ＰＣ９ｃでは室内に侵入者があったことを知らせる警報音や防犯警報画面などの警報情報が報知される。
【００４２】
なお、防災センサー１０２で火災を検知した場合には、この通報信号が親機２で防災センサー検知信号の送信データ信号Ｓ２４に変調され親機ケーブルＬ２を介して外部機器５へ伝送されるので、ＰＣ９ｃでは室内で火災があったことを知らせる警報音や防災警報画面などの警報情報が報知される。
【００４３】
実施例５
実施例５においては、図４に示すように、図１のテレビドアホンシステムにおける電気錠コントローラ７を介して親機２に接続された電気錠８に変えて、親機２と集合住宅用インターホン制御機１１１を幹線ケーブルＬ７で接続し、この集合住宅用インターホン制御機１１１に集合玄関機１１２、管理室親機１１３を接続しているテレビドアホンシステムで、集合玄関機１１２、管理室親機１１３と携帯電話９ａで通話する場合について説明する。
【００４４】
例えば集合玄関機１１２から来訪者が送話を行うと、送話信号が集合住宅用インターホン制御機１１１、幹線ケーブルＬ７を介して親機２へ伝送される。この時、親機２が例えば携帯電話９ａへの転送モードに設定されていると、集合玄関機１１２からの送話信号は親機２で中継伝送された来訪者の送話信号Ｓ２２として親機ケーブルＬ２を介して外部機器５へ伝送される。この送話信号Ｓ２２は外部機器５の伝送Ｉ／Ｆユニットを介して音声信号変換回路３４で２線４線変換されて送話信号Ｓ３２として端子Ｐ３２から外部ユニット４の端子Ｐ４２に送信される。
【００４５】
外部機器５の外部ユニット４はＩ／Ｆユニット３から送信された送話信号Ｓ３２を、外部ケーブルＬ３又は無線Ｉ／Ｆ４１を介してネットワーク網６に伝送するので、この送話信号Ｓ３２は基地局１００を介して携帯電話９ａに受信される。これにより、携帯電話９ａで集合玄関機１１２からの送話を確認することができる。
【００４６】
さらに、来訪者による集合玄関機１１２からの送話に呼応するために、外出している居住者が携帯電話９ａで来訪者と通話するために通話ボタンを押下して送話を行うと、送話信号が基地局１００を介してネットワーク網６に伝送され、外部ケーブルＬ３又は無線Ｉ／Ｆ４１を介して外部機器５の外部ユニット４に受信される。送話信号はこの外部ユニット４から受話信号Ｓ３３として端子Ｐ４３からＩ／Ｆユニット３の端子Ｐ３３に送信され、Ｉ／Ｆユニット３の音声信号変換回路３４で４線２線変換されて受話信号Ｓ２３として伝送Ｉ／Ｆ３１に送信される。受話信号Ｓ２３は伝送Ｉ／Ｆ３１から親機ケーブルＬ２を介して親機２へ伝送されるが、親機２が携帯電話９ａへの転送モードに設定されているので、幹線ケーブルＬ７、集合住宅用インターホン制御機１１１を介して集合玄関機１１２へ伝送される。これにより、集合玄関機１１２、携帯電話９ａ間の通話が成立する。
【００４７】
このように、実施例５のテレビドアホンシステムによれば、実施例１のテレビドアホンシステムにおける電気錠コントローラ７を介して親機２に接続された電気錠８に変えて、親機２と集合住宅用インターホン制御機１１１を幹線ケーブルＬ７で接続し、この集合住宅用インターホン制御機１１１に集合玄関機１１２、管理室親機１１３を接続しているので、外部機器５の外部Ｉ／Ｆユニット４を介して、集合住宅用インターホン制御機１１１に接続される集合玄関機１１２の来訪者の映像信号、来訪者からの受話信号、来訪者への送話信号、集合玄関機１１２の呼出し制御等の受信データ信号、集合玄関機１１２の呼出し応答等の送信データ信号を伝送したり、集合住宅用インターホン制御機１１１に接続される管理室親機１１３の管理人等の受話信号、送話信号、管理室親機１１３の呼出し制御等の受信データ信号、管理室親機の呼出し応答等の送信データ信号を伝送したりすることができるようになる。これにより、外部機器５や携帯電話９ａ、ＰＤＡ９ｂ、ＰＣ９ｃで、集合玄関機１１２や管理室親機１１３との各信号の送受信が可能になる。
【００４８】
なお、ネットワーク網６に接続されるサーバに、各種情報をアップロードやダウンロードすることができるようにしてもよい。
【００４９】
また、外部機器５の外部ユニット４は、外部ケーブルＬ３又は外部ユニット４に内蔵される無線Ｉ／Ｆ４１を介して家庭用テレビに接続してもよく、これにより、家庭用テレビに来訪者の映像を出画することができる。
【００５０】
なお、上記実施例においては、Ｉ／Ｆユニット３及び外部ユニット４を外部機器５の筐体内に設けていたが、これに限らず、親機２の筐体内に設けられるものでもよい。これにより、Ｉ／Ｆユニット３及び外部ユニット４が、親機２と同一筐体で構成できるので省スペース化を図ることができる。
【００５１】
【発明の効果】
以上の説明から明らかなように、本発明によるテレビドアホンシステムによれば、テレビドアホン親機と２線ケーブルで接続される増設親機と同一のインターフェース回路を有するインターフェースユニットと外部ユニットとを、親機や当該親機に接続される外部機器に搭載する構成とすることにより、テレビドアホンの構成は変えずにテレビドアホンと連動するシステムを構築することができ、また、ネットワーク網を介して携帯端末と通話、各種データの送受信が可能になる。
【図面の簡単な説明】
【図１】本発明のテレビドアホンシステムによる好ましい実施の形態例を示すシステム構成図。
【図２】本発明のテレビドアホンシステムの構成要素であるインターフェースユニットを示すブロック図。
【図３】本発明のテレビドアホンシステムによる好ましい実施の他の形態例を示すシステム構成図。
【図４】本発明のテレビドアホンシステムによる好ましい実施の他の形態例を示すシステム構成図。
【符号の説明】
１・・・・・子機
２・・・・・親機
３・・・・・インターフェースユニット
４・・・・・外部ユニット
５・・・・・外部機器
６・・・・・ネットワーク網
７・・・・・電気錠コントローラ
８・・・・・電気錠
９ａ・・・・・携帯電話
９ｂ・・・・・ＰＤＡ
９ｃ・・・・・パーソナルコンピュータ
１１・・・・・カメラユニット
１２・・・・・子機スピーカ
１３・・・・・子機マイクロフォン
１４・・・・・呼出ボタン
２２・・・・・親機スピーカ（通話装置）
２３・・・・・親機マイクロフォン（通話装置）
２４・・・・・選局ボタン（通話装置）
３１・・・・・伝送インターフェース回路
３３・・・・・映像信号復調回路
３４・・・・・音声信号変換回路
３５・・・・・データ信号復調回路
３６・・・・・データ信号変調回路
３７・・・・・通信プロトコル変換回路
４１・・・・・無線インターフェース
１０１・・・・・防犯センサー
１０２・・・・・防災センサー
１１１・・・・・集合住宅用インターホン制御機
１１２・・・・・集合玄関機
１１３・・・・・管理室親機
Ｌ１・・・・・子機ケーブル
Ｌ２・・・・・親機ケーブル
Ｌ３・・・・・外部ケーブル
Ｌ４・・・・・電気錠コントロールケーブル
Ｌ５・・・・・電気錠ケーブル
Ｌ６・・・・・センサーケーブル
Ｌ７・・・・・幹線ケーブル
Ｓ２１・・・・・映像信号
Ｓ２２・・・・・送話信号
Ｓ２３・・・・・受話信号
Ｓ２４・・・・・送信データ信号
Ｓ２５・・・・・受信データ信号
Ｓ３１・・・・・映像信号
Ｓ３２・・・・・送話信号
Ｓ３３・・・・・受話信号
Ｓ３４・・・・・送信データ信号
Ｓ３５・・・・・受信データ信号
【図１】
2004236083.tif 000003
【図２】
2004236083.tif 000004
【図３】
2004236083.tif 000005
【図４】
2004236083.tif 000006